(57)【要約】      （修正有）【課題】シールド部材における正面パネル側の取付け片部に取付けやすくすると共に、容易に外れ難くした電子機器におけるシールド部材取付け装置を提供する。【解決手段】筐体内に複数の電子機器ユニットを並設収納し、各電子機器ユニットにおける正面側端部に導電性の正面パネル１３を配設し、正面パネル１３の側面部１３ｂに二条の挿通長孔１６、１６を穿設することによって縦長帯状の取付け片部１５を形成すると共に、取付け片部１５にばね性を有する導電材である薄板を断面略山形を呈するようにチャンネル状に形成したシールド部材２０を取付ける場合、取付け片部１５の側壁面部形状を、隣接する電子機器ユニット側に面する外面側から自側の電子機器ユニット側に面する内面側に向かって平面状の傾斜面に形成することによって、外面側幅寸法を、内面側幅寸法より小さく設定した。【選択図】  図３
2004165542.tif 000002
【特許請求の範囲】
【請求項１】
筐体内に複数の電子機器ユニットを並設収納し、前記各電子機器ユニットにおける正面側端部に導電性の正面パネルを配設し、前記正面パネルの側部壁に二条の挿通長孔を穿設することにより前記挿通長孔間に帯状の取付け片部を形成すると共に、前記複数の電子機器ユニットのうち互いに隣り合う一方の電子機器ユニットに対して他方の電子機器を電気的に接続するシールド部材を、ばね性を有する導電性薄板を断面略山形チャンネル状に形成し、且つ、前記シールド部材の長手方向両端部が互いに離間して開口部を有するようにそれぞれ内方に折曲されて先端折曲部を形成しており、前記シールド部材の開口部を、前記取付け片部における隣接する電子機器ユニット側に面する外面側から自側の電子ユニットに面する内面側方向に挿入して前記両挿通長孔に挿通させて、前記シールド部材の前記先端折曲部を前記取付け片部に係合させ、前記シールド部材の略山形の基体部内壁部で前記取付け片部を抱持することにより、前記シールド部材を前記正面パネルに装着して、互いに隣り合う前記電子機器ユニット間を電気的に接続させて構成した電気機器におけるシールド部材取付け装置であって、
前記取付け片部の側壁面部形状を、隣接する電子機器ユニット側に面する外面側から自側の電子機器ユニット側に面する内面側に向かって傾斜面に形成して、前記取付け片部における外面側幅寸法が内面側幅寸法より小さく設定したことを特徴とする電気機器におけるシールド部材取付け装置。
【請求項２】
前記取付け片部における二つの側壁面部のうち少なくとも一方の側壁面部を、隣接する電子機器ユニット側に面する外面側から自側の電子機器ユニット側に面する内面側に向かって平面状の傾斜面に形成することによって、前記取付け片部における外面側幅寸法を、内面側幅寸法より小さく設定したことを特徴とする請求項１記載の電気機器におけるシールド部材取付け装置。
【請求項３】
前記取付け片部における二つの側壁面部のうち少なくとも一方の側壁面部を、隣接する電子機器ユニット側に面する外面側から自側の電子機器ユニット側に面する内面側に向かって曲面上の傾斜面に形成することによって、前記取付け片部における外面側幅寸法を、内面側幅寸法より小さく設定したことを特徴とする請求項１記載の電気機器におけるシールド部材取付け装置。
【請求項４】
前記取付け片部の両側壁面部の少なく一方を階段状に形成することによって、前記取付け片部における外面側幅寸法を、内面側幅寸法より小さく設定したことを特徴とする請求項１記載の電気機器におけるシールド部材取付け装置。
【請求項５】
筐体内に複数の電子機器ユニットを並設収納し、前記各電子機器ユニットにおける正面側端部に導電性の正面パネルをれ配設し、前記正面パネルの側部壁に一条の挿通長孔を穿設することによって帯状の取付け片部を形成すると共に、前記複数の電子機器ユニットのうち互いに隣り合う一方の電子機器ユニットに対して他方の電子機器を電気的に接続するシールド部材を、ばね性を有する導電性薄板を断面略山形チャンネル状に形成し、且つ、前記シールド部材の長手方向両端部が互いに離間して開口部を有するようにそれぞれ内方に折曲されて先端折曲部を形成しており、前記シールド部材の開口部を、前記取付け片部における隣接する電子機器ユニット側に面する外面側から自側の電子ユニットに面する内面側方向に挿入して、前記挿通長孔および前記正面パネルの側部壁に挿通させて、前記シールド部材の前記先端折曲部を前記取付け片部および前記正面パネルの側壁部裏面側に係合させ、前記シールド部材を前記正面パネルに装着し、互いに隣り合う前記電子機器ユニット間を電気的に接続させて構成した電気機器におけるシールド部材取付け装置であって、
前記取付け片部の側壁面部形状を、隣接する電子機器ユニット側に面する外面側から自側の電子機器ユニット側に面する内面側に向かって傾斜面に形成して、前記取付け片部における外面側幅寸法が内面側幅寸法より小さく設定したことを特徴とする電気機器におけるシールド部材取付け装置。
【発明の詳細な説明】
【０００１】
【発明の属する技術分野】
本発明は、筐体内に並設収納した複数の電子機器ユニット間を電気的に接続して筐体内外の電磁波の遮蔽構造を施すための電子機器におけるシールド部材取付け装置に関する。
【０００２】
【従来の技術】
一般に、この種の電子機器は、筐体内に縦列或いは横列に複数の電子機器ユニットを並設して構成し、これら電子ユニットにおける正面側端部に導電性を有する例えば断面略コ字状の正面パネルを配設し、正面パネルの側壁部に例えば二条の挿通長孔を穿設して縦長の取付け片部を形成すると共に、複数の電子機器のうち互いに隣り合う一方の電子機器に対して他方の電子機器を電気的に接続するシールド部材を導電性ばね薄板により断面略山形チャネル状に形成して構成しており、且つ、シールド部材の長手方向両端部が互いに離間して開口部を有するようにそれぞれ内方に折曲されて先端折曲部を形成し、シールド部材の開口部を取付け片部における隣接する電子機器ユニットに面する外面側から自側の電子機器ユニット側に面する内面側方向に向かうように、シールド部材の両先端折曲部を挿通長孔に挿通させて、取付け片部における内面部壁側に係合することによって、シールド部材を正面パネルに装着して、互いに隣り合う電子機器ユニット間を電気的に接続させて構成している。
【０００３】
【特許文献１】
特開２００２−７６６５６号公報
【特許文献２】
特開２００１−１９６７７１号公報
【特許文献３】
特開平１０−２８４８６８号公報
【０００４】
そして、従来の電子機器におけるシールド部材取付け装置は、図１０に示すように、不図示の電子機器ユニットの正面側端部に取付けられた正面パネル１に、抜き型を用いたプレス機等により、二条の挿通長孔４、４を穿設して縦長帯状の取付け片部２を形成し、一方、シールド部材３が、ばね性薄板を断面略山形を呈するようにチャンネル状に形成し、シールド部材３の長手方向両端部が互いに離間して開口部３ａを有するようにそれぞれ内方に折曲されて先端折曲部３ｂ、３ｂを形成しており、先端折曲部３ｂ、３ｂを、シールド部材３の開口部３ａを取付け片部２の外面側（図中左側）から挿通長孔４，４に挿入して、取付け片部２の両側面部２ａ、２ａを挿通して取付け片部２の内面部壁２ｂ側に係合させ、シールド部材３を正面パネルに装着して、互いに隣り合う電子機器ユニット間を電気的に接続させて構成している（例えば、特許文献１乃至３）。
【０００５】
【発明が解決しようとする課題】
しかしながら、従来の電子機器におけるシールド部材取付け装置においては、取付け片部２の側面部２ａの形状が、図１１に示すように、隣接する電子機器ユニット１１側に面する外面側幅寸法ａと自側の電子機器ユニット１１側に面する内面側幅寸法ｂとが、同一寸法を呈しており、結果的にストレート形状となっていると共にシールド部材３における略山型の基体部３ｃの内壁形状が先細り形状になっているために、取付け片部２にシールド部材３を装着する場合に、基体部３ｃの内壁と取付け片部２の正面側角部との摺動圧が徐々に高くなって、シールド部材３の装着はシールド部材３をそのばね力に抗して相当潰して開口部３ａを大きく開口させる必要があり、装着作業を面倒にしていた。
【０００６】
このために、シールド部材３の開口部３ａの幅寸法を予め大きくする対策を施して、取付け片部２に装着しやすくすることが考えられるが、反面、開口部３ａの幅寸法が大きくしたことにより、抜けやすくなってしまい、シールド部材３が所定の位置から外れてしまうおそれがあった。
【０００７】
そこで、本発明は、かかる点に鑑み、シールド部材における正面パネル側の取付け片部に取付けやすくすると共に、容易に外れ難くした電子機器におけるシールド部材取付け装置を提供することを目的としている。
【０００８】
【課題を解決するための手段】
上記目的を達成するために、本発明は、筐体内に複数の電子機器ユニットを並設収納し、各電子機器ユニットにおける正面側端部に導電性の正面パネルをそれぞれ配設し、正面パネルの側部壁に二条の挿通長孔を穿設することにより挿通長孔間に帯状の取付け片部を形成すると共に、複数の電子機器ユニットのうち互いに隣り合う一方の電子機器ユニットに対して他方の電子機器を電気的に接続するシールド部材を、ばね性を有する導電性薄板を断面略山形チャンネル状に形成し、且つ、シールド部材の長手方向両端部が互いに離間して開口部を有するようにそれぞれ内方に折曲されて先端折曲部を形成しており、シールド部材の開口部を、取付け片部における隣接する電子機器ユニット側に面する外面側から自側の電子ユニットに面する内面側方向に挿入して両挿通長孔を挿通させて、シールド部材の先端折曲部を取付け片部に係合させ、シールド部材の略山形の基体部内壁部で取付け片部を抱持することにより、シールド部材を正面パネルに装着して、互いに隣り合う電子機器ユニット間を電気的に接続させて構成し、取付け片部の側壁面部形状を、隣接する電子機器ユニット側に面する外面側から自側の電子機器ユニット側に面する内面側に向かって傾斜面に形成して、取付け片部における外面側幅寸法が内面側幅寸法より小さく設定したことを特徴とするものである。
【０００９】
かかる構成により、取付け片部の側面形状が、外面側幅寸法を、内裏面側幅寸法より小さく設定したために、取付け片部の両側壁面部のうち少なくとも一方が傾斜面となって、シールド部材の開口部の幅寸法をそれほど大きくしなくとも、シールド部材を取付け片部に容易に装着することができ、しかも、装着後は、シールド部材は、その開口部の幅寸法が大きくないことから取付け片部に一旦装着すると非常に抜けにくくなって、取付け片部から容易に外れることはない。
【００１０】
また、本発明は、取付け片部における二つの側壁面部のうち少なくとも一方の側壁面部を隣接する電子機器ユニット側に面する外面側から自側の電子機器ユニット側に面する内面側に向かって平面状の傾斜面に形成して、取付け片部における外面側幅寸法が内面側幅寸法より小さく設定電子ユニットにおける正面側から裏面側にかけて平面状傾斜面に形成することによって、シールド部材を取付け片部に入れやすく、しかも抜けにくくしている。
【００１１】
また、本発明は、取付け片部における二つの側壁面部のうち少なくとも一方の側壁面部を隣接する電子機器ユニット側に面する外面側から自側の電子機器ユニット側に面する内面側に向かって曲面状の傾斜面に形成して、取付け片部における外面側幅寸法が内面側幅寸法Ｂより小さく設定したことによって、シールド部材を取付け片部に入れやすく、しかも抜けにくくしている。
【００１２】
また、本発明は、取付け片部の両側壁面部の少なく一方を階段状に形成することによって、電子機器ユニット側に面する外面側から自側の電子機器ユニット側に面する内面側に向かって実質的にテーパー状に形成したことになって、取付け片部における外面側幅寸法を、内面側幅寸法より小さく設定したことにより、シールド部材を取付け片部に入れやすく、しかも抜けにくくしている。
【００１３】
更にまた、本発明は、筐体内に複数の電子機器ユニットを並設収納し、各電子機器ユニットにおける正面側端部に導電性の正面パネルをそれぞれ配設し、正面パネルの側部壁に一条の挿通長孔を穿設することによって帯状の取付け片部を形成すると共に、複数の電子機器ユニットのうち互いに隣り合う一方の電子機器ユニットに対して他方の電子機器を電気的に接続するシールド部材を、ばね性を有する導電性薄板を断面略山形チャンネル状に形成し、且つ、シールド部材の長手方向両端部が互いに離間して開口部を有するようにそれぞれ内方に折曲されて先端折曲部を形成しており、シールド部材の開口部を、取付け片部における隣接する電子機器ユニット側に面する外面側から自側の電子ユニットに面する内面側方向に挿入して、挿通長孔および正面パネルの側部壁を挿通させて、シールド部材の先端折曲部を取付け片部および正面パネルの側壁部裏面側に係合させ、シールド部材を正面パネルに装着し、互いに隣り合う前記電子機器ユニット間を電気的に接続させて構成し、取付け片部の側壁面部形状を、隣接する電子機器ユニット側に面する外面側から自側の電子機器ユニット側に面する内面側に向かって傾斜面に形成して、取付け片部における外面側幅寸法が内面側幅寸法より小さく設定したことを特徴とする。
【００１４】
かかる構成により、取付け片部の側面形状が、外面側幅寸法を、内裏面側幅寸法より小さく設定したために、取付け片部の側壁面部が傾斜面となって、シールド部材の開口部の幅寸法をそれほど大きくしなくとも、シールド部材を取付け片部および正面パネルの側壁部裏面側間に容易に装着することができ、しかも、装着後は、シールド部材は、その開口部の幅寸法が大きくしないことから取付け片部および正面パネルの側壁部裏面側間に一旦装着すると非常に抜けにくくなって、容易に外れることがない。
【００１５】
【発明の実施の形態】
以下、本発明における実施の形態について、図を用いて説明する。
【００１６】
先ず、図１を用いて、本発明における実施の形態を採用した電子機器の全体構成について説明する。
【００１７】
図１は本発明の実施の形態における電子機器ユニットを筐体に組み込んだ状態を示す斜視図である。
【００１８】
図１によれば、電子機器１０は、電子機器ユニット１１を筐体１２内に収納して構成している。
【００１９】
電子機器ユニット１１は、その正面側端部に略断面コ字状を呈した導電性の正面パネル１３を配設している。
【００２０】
正面パネル１３の上下には、インジェクタ１４、１４が配設されており、インジェクタ１４、１４は、筐体１２に対して挿抜可能に構成され電子機器ユニット１１を固定している。
【００２１】
正面パネル１３の一側壁面部２には、シールド部材２０が装着されて、互いに隣り合う一方の電子機器ユニット１１に対して他方の電子ユニット１１を電気的に接続している。
【００２２】
次に、正面パネル１３へのシールド部材２０の装着構造を図２及び図３を用いて説明する。
【００２３】
正面パネル１３は、断面略コ字状を呈するチャネル状部材から構成し、側壁面部１３ａ、１３ｂが正面部１３ｃより幅広に形成されている。
【００２４】
一方の側壁面部１３ａには、例えばその上下端部側をプレス機等により型抜きすることによって一条の挿通孔１６、１６を穿設して、縦長帯状の取付け片部１５が形成されている。
【００２５】
取付け片部１５の側壁面部１５ａ，１５ｂは、隣接する電子機器ユニット１１側に面する外面側から自側の電子機器ユニット１１側に面する内面側に向かって平面状の傾斜面に形成して、外面側幅寸法Ａが内面側幅寸法Ｂより小さく設定されている。
【００２６】
シールド部材２０は、ばね性を有する導電材である薄板を断面略山型を呈するようにチャンネル状に形成し、且つ略山型状の基体部２０ｃに複数個の割り溝を入れて更なるばね性あるよう構成している。シールド部材２０を構成する薄板は、例えば厚さ１ｍｍ或いは３ｍｍ位のベリウム板材を使用している。
【００２７】
シールド部材２０の長手方向両端部には、互いに離間して開口部２０ａを有するようにそれぞれ内方に折曲されて先端折曲部２０ｂ，２０ｂが形成されている。
【００２８】
上記の構成により、シールド部材２０を正面パネル１３ｂに装着するには、シールド部材２０の開口部２０ａを取付け片部１５の外面側（図中左側）から挿入して、挿通長孔１６、１６を挿通し取付け片部１５の内面部壁１５ｃ側に先端折曲部２０，２０ｂを係合させ、シールド部材２０を正面パネル１３に装着し、た互いに隣り合う電子機器ユニット１１間を電気的に接続させ、更に、インジェクタ１４に対向して電気機器ユニット１１に装着したアースブロック１８を介して筐体１２に電気的に接続している。この時、シールド部材２０の略山型状の基体部２０ｃの内面が取付け片部１５の側面部１５ａ，１５ｂの略先端側に接触している。
【００２９】
そして、取付け片部１５の両側面部１５ａ，１５ｂの形状が、隣接する電子機器ユニット１１側に面する外面側から自側の電子機器ユニット１１側に面する内面側に向かって平面状の傾斜面に形成して、外面側幅寸法Ａが内面側幅寸法Ｂより小さく設定したために、シールド部材２０の開口部２０ａの幅寸法をそれほど大きくしなくとも、シールド部材２０を挿通長孔１６、１６に挿入して取付け片部１５に容易に装着することができ、しかも、装着後、シールド部材２０は、その開口部２０ａの幅寸法が大きくないことから、取付け片部１５から容易に外れることがない。
【００３０】
上記のように構成する第１の実施の形態におけるシールド部材２０の脱落強度を実験した結果、例えば正面パネル１３に対して垂直方向にシールド部材２０を引き抜くように荷重を加えた場合、シールド部材を構成する薄板板厚を同じくする従来構造に比して、２倍強の脱落強度を得ており、また、正面パネル１３に対して水平方向の荷重をシールド部材２０に加えた場合、従来構造に比して、約１．５倍強の脱落強度を得た。
【００３１】
図５乃至図９は、本発明における他の実施の形態を描画した正面パネルにおける図４と同様の断面図である。
【００３２】
図５に示す正面パネル１３は、その両側面部１３ｂの形状を隣接する電子機器ユニット１１側に面する外面側から自側の電子機器ユニット１１側に面する内面側に向かって平面状の傾斜面にすると共に、これに連続したストレート面に形成して、外面側幅寸法Ａが内面側幅寸法Ｂより小さく設定したものである。
【００３３】
また、図６に示す正面パネル１３は、その両側面部１３ｂの形状を隣接する電子機器ユニット１１側に面する外面側から自側の電子機器ユニット１１側に面する内面側に向かって曲面状の傾斜面に形成して、外面側幅寸法Ａが内面側幅寸法Ｂより小さく設定したものである。
【００３４】
また、図７に示す正面パネル１３は、その両側面部１３ｂの形状を隣接する電子機器ユニット１１側に面する外面側から自側の電子機器ユニット１１側に面する内面側に向かって平面状の傾斜面に形成するも、型抜き形成すると共に、折曲変形させて形成したもので、この結果側面部１３ｂの先端が正面パネル１３の内面壁部１５ｃ側に若干突出しており、結果として、外面側幅寸法Ａが内面側幅寸法Ｂより小さく設定したものである。
【００３５】
また、図８に示す正面パネル１３は、その両側面１３ｂを階段状に形成することにより、各階段部の先端角部同士を結ぶ線が斜線となって、隣接する電子機器ユニット１１側に面する外面側から自側の電子機器ユニット１１側に面する内面側に向かって実質的にテーパー状に形成したことになり、外面側幅寸法Ａを、内面側幅寸法Ｂより小さく設定したことにより、シールド部材２０を取付け片部１５に入れやすく、しかも抜けにくくしている。
【００３６】
なお、上記実施の形態において、取付け片部１５の両側面部１５ａ，１５ｂを傾斜面形状に形成したが、両側面部１５ａ、１５ｂのうち一方のみを傾斜面とし、他方を従来同様ストレート面に形成した場合も、従来構造に比して遥かにシールド部材２０を取付けやすく、しかも抜けにくい構造となっている。
【００３７】
また、上記実施の形態における取付け片部１５を正面パネル１３に形成するために、二条の挿通長孔１６，１６を結果的に形成したが、これに限定されるものでなく、例えば、図９に示す正面パネル１３は、一条の挿通長孔１７を形成した取付け片１５を構成している場合もあり、この場合、シールド部材２０の一方の先端折曲部２０ｂは、正面パネル１３の一方の側面部１３ａの裏面側に係合すればよい。
【００３８】
かかる構成により、取付け片部１５の側面形状が、外面側幅寸法を、内裏面側幅寸法より小さく設定したために、取付け片部１５の側壁面部１５ａが傾斜面となって、シールド部材２０の開口部２０ａの幅寸法をそれほど大きくしなくとも、シールド部材２０を取付け片部１５および正面パネル１３の側壁部１５ａの裏面側間に容易に装着することができ、しかも、装着後は、シールド部材２０は、その開口部の幅寸法が大きくしないことから取付け片部１５および正面パネル１３の側壁部１３ａの裏面側間に一旦装着すると非常に抜けにくくなって、容易に外れることがない。
【００３９】
【発明の効果】
以上説明したように、本発明は、取付け片部の側面形状が、外面側幅寸法を、内裏面側幅寸法より小さく設定したために、取付け片部の両側壁面部のうち少なくとも一方が傾斜面となって、シールド部材の開口部の幅寸法をそれほど大きくしなくとも、シールド部材を取付け片部に容易に装着することができ、しかも、装着後は、シールド部材は、その開口部の幅寸法が大きくしないことから取付け片部に一旦装着すると非常に抜けにくくなって、取付け片部から容易に外れることがない。
【図面の簡単な説明】
【図１】本発明の実施の形態における電子機器ユニットを筐体に組み込んだ状態を示す斜視図である。
【図２】図１における電子ユニットに配設する正面パネルの側面図である。
【図３】本発明における第１の実施の形態における図２のＡ−Ａ断面図である。
【図４】同じく、シールド部材を取外した状態の図２のＡ−Ａ断面図である。
【図５】本発明における第３の実施の形態におけるシールド部材を取外した状態の図２のＡ−Ａ断面図である。
【図６】本発明における第４の実施の形態におけるシールド部材を取外した状態の図２のＡ−Ａ断面図である。
【図７】本発明における第５の実施の形態におけるシールド部材を取外した状態の図２のＡ−Ａ断面図である。
【図８】本発明における第６の実施の形態における図２のＡ−Ａ断面図である。
【図９】本発明における第２の実施の形態におけるシールド部材を取外した状態の図２のＡ−Ａ断面図である。
【図１０】従来における図２と同様の断面図である。
【図１１】同じく、シールド部材を取外した状態の断面図である。
【符号の説明】
１１    電子機器ユニット
１２    筐体
１３    正面パネル
１３ａ、１３ｂ  側壁面部
１３ｃ  正面部
１５    取付け片部
１５ａ，１５ｂ  側面部
１５ｃ  内面壁
１６，１７  挿通長孔
２０    シールド部材
２０ａ  開口部
２０ｂ  先端折曲部
２０ｃ  基体部
【図１】
2004165542.tif 000003
【図２】
2004165542.tif 000004
【図３】
2004165542.tif 000005
【図４】
2004165542.tif 000006
【図５】
2004165542.tif 000007
【図６】
2004165542.tif 000008
【図７】
2004165542.tif 000009
【図８】
2004165542.tif 000010
【図９】
2004165542.tif 000011
【図１０】
2004165542.tif 000012
【図１１】
2004165542.tif 000013